(57)【要約】【課題】作業効率の向上を図ることができ、リングフィラーの落下を容易かつ確実に防止することが可能な落下防止具を提供することを目的とする。【解決手段】本発明にかかる落下防止具の構成は、環状のリングフィラー１０２の落下を防止する落下防止具１００であって、当該落下防止具を把持するためのハンドル１１０と、ハンドルの一端に設けられ、リングフィラーの外周の少なくとも半分以上の部分に沿う一対の円弧状部材１２２ａおよび１２２ｂからなり、一対の円弧状部材の開口部１２０ａが弾性的に開閉してリングフィラーを挟持する挟持部１２０と、挟持部の側縁から中央に向かって立設されリングフィラーに当接可能な爪部１２４ａおよび１２４ｂと、当該落下防止具を吊下する索体１３２を掛止可能な掛止部１３０と、を備えることを特徴とする。【選択図】図１
2011185358.tif 000002
【特許請求の範囲】
【請求項１】
２つの部材をボルトとナットで締結する際に該２つの部材間に生じる間隙を埋めるために該ボルトが挿通される環状のリングフィラーの落下を防止する落下防止具であって、
当該落下防止具を把持するためのハンドルと、
前記ハンドルの一端に設けられ、前記リングフィラーの外周の少なくとも半分以上の部分に沿う一対の円弧状部材からなり、該一対の円弧状部材の開口部が弾性的に開閉して前記リングフィラーを挟持する挟持部と、
前記挟持部の側縁から中央に向かって立設され前記リングフィラーに当接可能な爪部と、
当該落下防止具を吊下する索体を掛止可能な掛止部と、
を備えることを特徴とする落下防止具。
【請求項２】
前記円弧状部材の幅は、前記リングフィラー複数枚分の厚みより広いことを特徴とする請求項１に記載の落下防止具。
【請求項３】
前記円弧状部材の前記ハンドル側の根元部には、端部から幅方向に向かう切込が設けられていることを特徴とする請求項２に記載の落下防止具。
【請求項４】
前記ハンドルの他端にも前記挟持部が設けられ、
前記ハンドルの一端に設けられた挟持部と、該ハンドルの他端に設けられた挟持部とは寸法が異なっており、それぞれ異なるサイズの前記リングフィラーを挟持可能であることを特徴とする請求項１に記載の落下防止具。
【請求項５】
前記ハンドルは、該ハンドルの長手方向に延びる長穴を有し、
前記掛止部は、前記長穴と噛合し、該長穴に沿って摺動可能であることを特徴とする請求項４に記載の落下防止具。
【請求項６】
前記掛止部は、前記ハンドルを挿入され該ハンドルを長手方向に摺動可能なスライダであることを特徴とする請求項４に記載の落下防止具。
【発明の詳細な説明】
【技術分野】
【０００１】
本発明は、主に高所作業におけるリングフィラーの落下を防止するための落下防止具に関する。
【背景技術】
【０００２】
鉄塔および構造物の組立作業や補修作業、電柱の装柱の着脱作業などのような高所作業時に、ボルトやナット等の部材を落下させてしまうと、部材等の損傷や遺失を招き、また下方にある建築物や構造物、車輌に損傷を与えるおそれがある。特に鉄塔や電柱において作業をする場合、手袋を着用して作業する場合が多い。するとボルトやナットのような小さなものは把持しにくく、取り落としてしまう可能性もある。
【０００３】
施工用地に余裕があれば、資材の落下が想定される範囲に作業区画を設定し、下方に何もない状態とすることにより、資材が落下しても支障がない状態にできる場合もある。しかし、必ずしも十分な作業区画を確保できるとは限らず、また物置などの構造物は容易には動かすことができない。そのため、そもそも落下させないための落下防止対策が必要となる。
【０００４】
そこで、ボルトやナットを落下させないための落下防止対策として、特許文献１には、ボルトまたはナットを保持する筒体を有する保持部と、保持部を吊下しうる吊着部とを備える落下防止具が開示されている。特許文献１によれば、保持部によってボルトまたはナットを保持し、吊着部を作業員の体や周囲の構造物に連結することにより、万が一作業員が保持部を取り落としたとしても、ボルトまたはナットは吊下されるため落下を確実に防ぐことができる。
【０００５】
ところで、上述した高所作業の中でも特に送電鉄塔を組み立てる際には、ボルトやナットだけでなくリングフィラーが用いられることがある。詳細には、鉄塔の組立において、鉄塔を構成する２つの部材（主にアングル材）をボルトとナットで締結する際に、２つの部材間に間隙が生じることがある。そこで、２つの部材の間にリングフィラーを挟んだ状態でボルトを挿通し、ナットで締めつけて固定している。リングフィラーは中央にボルト穴が設けられた環状の部材であって、厚みや穴径の異なる複数種類が用意される。これにより、２つの部材間の間隙をリングフィラーにより埋め、締付を十分行うことが可能となる。
【先行技術文献】
【特許文献】
【０００６】
【特許文献１】特開２０１０−２５３０２号公報
【発明の概要】
【発明が解決しようとする課題】
【０００７】
上記のように送電鉄塔を組み立てる際に用いられる部品のうち、ボルトやナットに関しては、特許文献１に記載の落下防止具を用いることにより落下を好適に防ぐことができる。しかし、リングフィラーにおいては特許文献１に記載の落下防止具を適用することができず、またリングフィラーの落下を防止する専用の工具は現時点においては開発されていない。このため、現状では、リングフィラーの穴に水糸を通して２つの部材の間に吊り下げた状態でボルトを通すことで、リングフィラーの落下防止対策としている。
【０００８】
しかしながら、上述したように鉄塔において作業をする場合には手袋を着用している。このため、手袋を着用した状態でリングフィラーの穴に水糸を通すには、作業員にかなりの煩わしさがあり、作業効率の低下が生じるおそれがある。
【０００９】
本発明は、このような課題に鑑み、作業効率の向上を図ることができ、リングフィラーの落下を容易かつ確実に防止することが可能な落下防止具を提供することを目的としている。
【課題を解決するための手段】
【００１０】
上記課題を解決するために、本発明にかかる落下防止具の代表的な構成は、２つの部材をボルトとナットで締結する際に２つの部材間に生じる間隙を埋めるためにボルトが挿通される環状のリングフィラーの落下を防止する落下防止具であって、当該落下防止具を把持するためのハンドルと、ハンドルの一端に設けられ、リングフィラーの外周の少なくとも半分以上の部分に沿う一対の円弧状部材からなり、一対の円弧状部材の開口部が弾性的に開閉してリングフィラーを挟持する挟持部と、挟持部の側縁から中央に向かって立設されリングフィラーに当接可能な爪部と、当該落下防止具を吊下する索体を掛止可能な掛止部と、を備えることを特徴とする。
【００１１】
上記構成によれば、挟持部によってリングフィラーを挟持し、掛止部に掛止された索体を作業員の体や周囲の構造物に連結することにより、万が一作業員が当該落下防止具を取り落としたとしてもリングフィラーは吊下されるため、その落下を防ぐことができる。詳細には、円弧状部材の開口部にリングフィラーを圧入することにより、かかるリングフィラーは挟持部により挟持される。挟持部には爪部が設けられているため、当該落下防止具が如何なる姿勢になった場合であってもリングフィラーに爪部が当接し、挟持部からリングフィラーが脱落することがない。これにより、リングフィラーの落下が確実に防止される。そして、挟持部に挟持されたリングフィラーにボルトを挿通させた後、当該落下防止具をボルトから離す方向に引っ張ることにより、リングフィラーが挟持部から脱離しボルトに吊下される。このように、当該落下防止具は簡単な操作でリングフィラーの保持および着脱が可能であるため、作業員の熟練度に依ることなく扱うことができ、且つ作業効率の向上を図れる。
【００１２】
上記の円弧状部材の幅は、リングフィラー複数枚分の厚みより広いとよい。かかる構成によれば、円弧状部材すなわち挟持部において複数枚のリングフィラーを挟持することができる。したがって、複数枚のリングフィラーを組み合わせて用い、様々な幅の間隙に対応することが可能となる。
【００１３】
上記の円弧状部材のハンドル側の根元部には、端部から幅方向に向かう切込が設けられているとよい。
【００１４】
上述したように複数枚のリングフィラーを挟持できるように円弧状部材の幅を広げると、リングフィラーを挟持部に圧入させる（挟持させる）際、円弧状部材の開口部を弾性的に開くために、すなわち円弧状部材を撓ませるためにより強い力が必要になる（硬くなる）。故に、作業性が低下することが懸念される。そこで、上記構成のように挟持部の根元部に切込を設けることにより、根元部近傍における剛性が若干低下し、強い力を要することなく円弧状部材が撓むことが可能となる。したがって、好適な作業性を確保することが可能となる。
【００１５】
上記のハンドルの他端にも挟持部が設けられ、ハンドルの一端に設けられた挟持部と、ハンドルの他端に設けられた挟持部とは寸法が異なっており、それぞれ異なるサイズのリングフィラーを挟持可能であるとよい。
【００１６】
上記構成によれば、１つの落下防止部材において複数の異なるサイズのリングフィラーを挟持することが可能となる。したがって、複数のサイズのリングフィラーに対応することができ、利便性の向上を図ることが可能となる。
【００１７】
上記のハンドルは、ハンドルの長手方向に延びる長穴を有し、掛止部は、長穴と噛合し、長穴に沿って摺動可能であるとよい。かかる構成によれば、ハンドルの両端に挟持部が設けられている落下防止具において、いずれの挟持部を使用する場合であっても、掛止部を摺動させ、使用する挟持部とは反対側の端部近傍に位置させることができる。したがって、ハンドルを把持する際に掛止部が邪魔になることがなく、良好な使い勝手を維持することができる。
【００１８】
上記の掛止部は、ハンドルを挿入されハンドルを長手方向に摺動可能なスライダであるとよい。かかる構成によっても上記の摺動可能な掛止部と同様の効果を得ることができる。また掛止部をスライダとすることにより、ハンドルに長穴を設けずにすむため、その強度を低下させることなく、使い勝手を向上させることが可能となる。
【発明の効果】
【００１９】
本発明によれば、作業効率の向上を図ることができ、リングフィラーの落下を容易かつ確実に防止することが可能な落下防止具を提供することができる。
【図面の簡単な説明】
【００２０】
【図１】第１実施形態にかかる落下防止具の構成を示す図である。
【図２】落下防止具によるリングフィラーの保持を説明する図である。
【図３】円弧状部材の幅Ｗの上限の設定について説明する図である。
【図４】落下防止具の使用態様を説明する図である。
【図５】落下防止具の使用態様を説明する図である。
【図６】落下防止具の使用態様を説明する図である。
【図７】サイズの異なるリングフィラーを把持するための構成を説明する図である。
【図８】第２実施形態にかかる落下防止具の構成を示す図である。
【図９】第２実施形態の落下防止具における掛止部の他の例を示す図である。
【図１０】第３実施形態の落下防止具の構成を示す図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
［第１実施形態］
図１は、第１実施形態にかかる落下防止具１００の構成を示す図である。図１（ａ）は落下防止具１００の正面図であり、図１（ｂ）は落下防止具１００の側面図であり、図１（ｃ）はリングフィラー１０２の正面図であり、図１（ｄ）はリングフィラー１０２の断面図である。なお、理解を容易にするため、図１（ｂ）では索体１３２の図示を省略している。
【００２３】
図１（ａ）および（ｂ）に示すように、落下防止具１００には、これを把持するためのハンドル１１０が設けられ、ハンドル１１０の一端には、環状のリングフィラー１０２を挟持する挟持部１２０が設けられている。
【００２４】
挟持部１２０は、一対の円弧状部材１２２ａおよび１２２ｂにより構成される。円弧状部材１２２ａおよび１２２ｂは、リングフィラー１０２の外周の少なくとも半分以上の部分に沿う形状となっている。そして、円弧状部材１２２ａおよび１２２ｂにより挟持部１２０の開口部１２０ａが形成される。これにより、円弧状部材１２２ａおよび１２２ｂが撓むことにより開口部１２０ａが弾性的に開閉し、挟持部１２０へのリングフィラー１０２の出し入れが可能となる。
【００２５】
図２は、落下防止具１００によるリングフィラー１０２の保持を説明する図である。なお、図２は平面図であるため、リングフィラー１０２は１枚しか図示されていないが、図示されているリングフィラー１０２の下にはもう１枚のリングフィラー１０２が存在し、その２枚のリングフィラー１０２を挟持部１２０に挟持させることとする。
【００２６】
落下防止具１００にリングフィラー１０２を保持させる場合、まず図２（ａ）に示すように、リングフィラー１０２を挟持部１２０の開口部１２０ａに当接させ、矢印の方向に押し込む。すると、図２（ｂ）に示すように、円弧状部材１２２ａおよび１２２ｂが撓んで開口部１２０ａが広がり、リングフィラー１０２がかかる開口部１２０ａ（挟持部１２０）に圧入される。そして、リングフィラー１０２を図２（ｂ）に示す矢印の方向に更に押し込むと、図２（ｃ）に示すようにリングフィラー１０２が挟持部１２０に挟持される。これにより、落下防止具１００によりリングフィラー１０２が保持される。
【００２７】
材質の一例として、ハンドル１１０はアルミニウム合金の中空角材で形成することができ、円弧状部材１２２ａおよび１２２ｂはバネ鋼や真鍮で形成することができる。ハンドル１１０と円弧状部材１２２ａおよび１２２ｂとは、カシメや螺子止め、嵌め合い構造など既知の方法によって接合することができる。なおハンドル１１０よりも円弧状部材１２２ａおよび１２２ｂの方が耐久性が低い（曲げによる疲労破壊を生じる可能性がある）ため、円弧状部材１２２ａ、１２２ｂを着脱交換可能とすることが好ましい。
【００２８】
また挟持部１２０すなわち円弧状部材１２２ａおよび１２２ｂには、その側縁から中央に向かって爪部１２４ａおよび１２４ｂが各々立設される。これにより、挟持部１２０に挟持されたリングフィラー１０２が爪部１２４ａおよび１２４ｂに当接するため、落下防止具１００が如何なる姿勢になった場合であっても挟持部１２０からのリングフィラー１０２の脱落が生じることがない。
【００２９】
なお、本実施形態では、爪部１２４ａおよび１２４ｂを円弧状部材１２２ａおよび１２２ｂの側縁の一部に設けているが、これに限定するものではない。例えば、爪部１２４ａおよび１２４ｂは、円弧状部材１２２ａおよび１２２ｂの側縁の全てに設けられてもよいし、断続的に数カ所に設けられてもよい。また図１では爪部１２４ａおよび１２４ｂは円弧状部材１２２ａおよび１２２ｂにカシメて接合した構成を例示したが、溶接してもよく、また円弧状部材１２２ａ、１２２ｂの一部を屈曲させて一体成型してもよい。
【００３０】
円弧状部材１２２ａおよび１２２ｂの幅Ｗ（図１（ｂ）参照）は、少なくとも１枚分のリングフィラー１０２の厚みｔ（図１（ｄ）参照）より広く設定され（Ｗ＞ｔ）、好ましくは複数枚分のリングフィラー１０２の厚みより広いとよい（Ｗ＞ｎｔ、ただしｎ≧２）。これにより、円弧状部材１２２ａおよび１２２ｂすなわち挟持部１２０において複数枚のリングフィラー１０２を挟持することができる。リングフィラー１０２が必要とされる間隙の幅は現場によって異なるため、複数枚のリングフィラー１０２を挟持可能とすることにより、複数枚のリングフィラー１０２を組み合わせて用い、様々な幅の間隙に対応することが可能となる。
【００３１】
なお、本実施形態では、円弧状部材１２２ａおよび１２２ｂの幅Ｗを２枚分のリングフィラー１０２の厚みに相当する広さとしている（Ｗ≒２ｔ）。したがって、落下防止具１００は２枚のリングフィラー１０２を保持することができる。しかし、これに限定するものではなく、円弧状部材１２２ａおよび１２２ｂの幅Ｗは、１枚分のリングフィラー１０２の厚みに相当する広さでもよいし、３枚以上のリングフィラー１０２の厚みに相当する広さとしてもよい。
【００３２】
上述したように、円弧状部材１２２ａおよび１２２ｂの幅Ｗの下限は、挟持するリングフィラー１０２の厚みまたは枚数に応じて設定される。これに対し、円弧状部材１２２ａおよび１２２ｂの幅Ｗの上限は、ボルトの長さ、およびボルトおよびナットにより締結される２つの部材（アングル材）の厚み、ナットの厚みによって設定される。
【００３３】
図３は、円弧状部材１２２ａおよび１２２ｂの幅Ｗの上限の設定について説明する図である。なお、図３は側面図であるため、挟持部１２０に挟持されているリングフィラー１０２は図示されていないが、挟持部１２０にはリングフィラー１０２が挟持されているものとして説明する。また図３では、ボルトおよびナットにより締結される２つの部材としてアングル材１０６およびプレート１０８を例示する。
【００３４】
図３（ａ）に示す長さがＬ１のボルト１０４ａを用いる場合を例示すると、図３（ｂ）に示すように、リングフィラー１０２を保持した挟持部１２０（落下防止具１００）をアングル材１０６およびプレート１０８の間に配置した状態でナット１０４ｂを仮締めするためには、挟持部１２０の厚みは、ボルト１０４ａの長さＬ１から、アングル材１０６の厚みｔ１、プレート１０８の厚みｔ２およびナット１０４ｂの厚みｔ３を引いた長さ、すなわち長さＬ２よりも狭くなくてはならない。すなわち、円弧状部材１２２ａおよび１２２ｂの幅Ｗの上限は、「Ｗ≦Ｌ１−（ｔ１＋ｔ２＋ｔ３）」と表すことができる。これにより、挟持部１２０を挟んだ状態、換言すれば挟持部１２０を外すことなくアングル材１０６およびプレート１０８をナット１０４ｂで仮締めできるため、作業時の安全性をより向上させることが可能となる。
【００３５】
更に、上記の長さＬ２と、円弧状部材１２２ａおよび１２２ｂの幅Ｗとの差は１ｍｍ以上あるとよい。これにより、アングル材１０６およびプレート１０８と挟持部１２０との間に若干の隙間が生じるためこれらが接触しづらくなり、挟持部１２０を容易に外すことが可能となる。
【００３６】
なお、図３（ｃ）に示すように円弧状部材１２２ａおよび１２２ｂの幅Ｗが上述した長さＬ２よりも広い場合、アングル材１０６およびプレート１０８の間に配置した状態では、ボルト１０４ａにおいてナット１０４ｂを仮締めするための長さを得られない。したがって、仮締めを行う前にリングフィラー１０２から挟持部１２０を外さなくてはならず、部材の安定性が得られないため好ましくない。
【００３７】
また本実施形態では、円弧状部材１２２ａおよび１２２ｂのハンドル１１０側の根元部には、端部から幅方向に向かう切込１２６が設けられている（図１参照）。上述したように円弧状部材１２２ａおよび１２２ｂの幅Ｗは２枚分のリングフィラー１０２の厚みに相当する。すなわち円弧状部材１２２ａおよび１２２ｂは幅広である。故に、リングフィラー１０２を挟持部１２０に挟持させる際、円弧状部材１２２ａおよび１２２ｂを撓ませるためにより強い力が必要になり作業性の低下が懸念される。そこで、円弧状部材１２２ａおよび１２２ｂの根元部に切込１２６を設けることにより、根元部近傍における剛性が若干低下し、強い力を要することなく円弧状部材１２２ａおよび１２２ｂが撓むことが可能となる。したがって、好適な作業性を確保することが可能となる。
【００３８】
ハンドル１１０には、挟持部１２０の他に、当該落下防止具１００を吊下する索体１３２を掛止可能な掛止部１３０が設けられている。本実施形態では掛止部１３０としてリングを用い、かかるリングに索体１３２であるコイルストラップを掛止している。これにより、掛止部１３０に索体１３２を掛止し、索体１３２の他端（不図示）を作業員の体や周囲の構造物に連結することができる。したがって、万が一作業員が落下防止具１００（ハンドル１１０）を取り落としたとしても、落下防止具１００ひいてはリングフィラー１０２は掛止部１３０に掛止された索体１３２によって吊下されるため、その落下を防ぐことができる。
【００３９】
なお、本実施形態においては掛止部１３０としてリングを例示したが、これに限定するものではなく、掛止部１３０をカラビナやフック等にしたり、ハンドル１１０に掛止部１３０としての穴を設けてその穴に索体１３２を取り付けたりする構成としてもよい。また図示はされていないが、索体１３２の他端においても、ナスカンやカラビナ、フック等を設けてもよい。これにより、索体１３２の作業員の体や周囲の構造物への着脱を容易に行うことができる。他にも、索体１３２の他端にループを形成して作業員の手首などに取り付けたり、磁石を取り付けて鉄塔に吸着させたりしてもよい。
【００４０】
更に、索体１３２としてのコイルストラップも一例であり、これに限定するものではないが、伸縮可能なコイルストラップを用いることにより、作業員の可動範囲を拡大し、作業性の向上を図ることができる。なお、索体１３２の他の例としては、ワイヤーや紐、ベルト、鎖等が例示される。
【００４１】
図４、図５および図６は、落下防止具１００の使用態様を説明する図である。なお、以下の説明では、ボルト１０４ｃおよびナット１０４ｄにより既にアングル材１０９に固定されているプレート１０８に、アングル材１０６を固定する場合を例示する。またアングル材１０９の厚みｔ４は、２枚分のリングフィラー１０２の厚みに相当するものと仮定する。
【００４２】
図４に示すように、アングル材１０９の背面側にはプレート１０８がボルト１０４ｃによって締結固定されている。そしてアングル材１０９とプレート１０８の両方にまたがるようにアングル材１０６を締結するとき、アングル材１０６とプレート１０８の間にはアングル材１０９の厚みｔ４分の間隙が生じる。したがって、単に締結しても締付力が不十分となってしまう。そこで、間隙すなわちアングル材１０９と略同等の厚みとなる２枚のリングフィラー１０２を用いて間隙を埋める。
【００４３】
まず図５に示すように、作業者Ｐは、落下防止具１００の索体１３２の他端をベルトに設けられたナスカンＰ１に装着した後、上述したようにリングフィラー１０２を落下防止具１００に保持させる（図２（ｃ）参照）。次に、図６（ａ）に示すようにプレート１０８のボルト穴１０８ａとリングフィラー１０２のボルト穴１０２ａの位置が一致するように落下防止具１００をプレート１０８の近傍に配置する。そして、図６（ａ）の矢印の方向にアングル材１０６を近接させると図６（ｂ）に示す状態となる。
【００４４】
図６（ｂ）に示すようにプレート１０８のボルト穴１０８ａとアングル材１０６のボルト穴１０６ａの位置を一致させたら、ボルト１０４ａを矢印の方向に移動する。そして、ボルト１０４ａをボルト穴１０６ａ、１０２ａおよび１０８ａに挿通させ、ボルト１０４ａの先端にナット１０４ｂを仮締めすると、図６（ｃ）に示す状態となる。このように仮締めを行ったら、図６（ｃ）の矢印の方向、すなわちボルトから離す方向に落下防止具１００を引っ張る。すると、その力により円弧状部材１２２ａおよび１２２ｂが撓んで開口部１２０ａが開口し（図２（ｂ）参照）、リングフィラー１０２が挟持部１２０から脱離し（図２（ａ）参照）、ボルト１０４ａに吊下された状態となる。換言すれば、リングフィラー１０２から落下防止具１００を取り外される。
【００４５】
そして、図６（ｄ）に示すようにナット１０４ｂを締め付けることにより、ボルト１０４ａおよびナット１０４ｂによりアングル材１０６およびプレート１０８が締結され、それらの間の間隙はリングフィラー１０２により埋められる。したがって、アングル材１０６およびプレート１０８が十分に締結され確実に固定される。このように、当該落下防止具は簡単な操作でリングフィラー１０２の保持および取付が可能である。
【００４６】
また落下防止具１００は、ボルト１０４ａを抜く際にリングフィラー１０２を回収する際にも極めて有用である。手順は図６（ａ）〜（ｄ）を逆順にたどることになる。すなわち、図６（ｄ）のように締結された状態から、まずナット１０４ｂを緩めてボルト１０４ａの先端近傍まで移動させ、アングル材１０６およびプレート１０８の間に若干の隙間を生じさせる。そして図６（ｃ）に示すように、隙間に落下防止具１００を挿入し、これによってリングフィラー１０２を挟持する。すると図６（ｂ）に示すように、ボルト１０４ａを抜いてもリングフィラー１０２は落下防止具１００によって保持されているため、間違っても落下してしまうおそれがない。
【００４７】
上記説明したように、第１実施形態の落下防止具１００によれば、挟持部１２０でリングフィラー１０２を挟持し、掛止部１３０に掛止された索体１３２を作業員の体や周囲の構造物に連結することにより、万が一作業員Ｐが落下防止具１００を取り落としたとしてもリングフィラー１０２は吊下される。したがって、リングフィラー１０２の落下を確実に防ぐことができる。また落下防止具１００は簡単な操作でリングフィラー１０２の保持および着脱（取り付け、取り外し）を行えるため、作業員Ｐの熟練度に依ることなく扱うことができ、且つ作業効率の向上を図れる。
【００４８】
図７はサイズの異なるリングフィラー１０２を把持するための構成を説明する図である。リングフィラー１０２は、様々な隙間を埋めるために、複数種類の厚みのものが用意され、また複数枚を組み合わせて使用される。さらにボルト径によっても複数種類のリングフィラー１０２が用意されており、例えばＭ１６、Ｍ２０、Ｍ２４などのボルトに対応している。そこで図７（ａ）に示すように、リングフィラー１０２の外径にあわせて、挟持部１２０の寸法が異なる複数種類の落下防止具１００を準備する。また挟持部１２０の幅Ｗも、あまり幅広いと隙間に挿入できなくなるため、数種類を準備する。
【００４９】
図７（ｂ）に示すリングフィラー１０３は、外径を大きい外径（例えばＭ２４）にあわせて共通にして、内径のみを各種のボルト径にあわせたものである。この場合、挟持部１２０の大きさは１種類となり、枚数（幅Ｗ）に応じた種類のみに減らすことができる。小径ボルト用のリングフィラー１０２は肉が多くなるため材料費が若干高くなる可能性はある。しかし、持ち運ぶ落下防止具１００の種類を飛躍的に減らすことができるため取り扱いが簡便である。
【００５０】
［第２実施形態］
本発明の第２実施形態にかかる落下防止具２００について説明する。第２実施形態の落下防止具２００は、主に、挟持部をハンドルの両端に有する点と、掛止部の構造において第１実施形態の落下防止具１００と異なる。なお、第１実施形態の落下防止具１００の構成要素と実質的に同一の機能や構成を有する要素については、同一の符号を付すことにより説明を省略し、落下防止具１００との差についてのみ詳述する。
【００５１】
図８は、第２実施形態にかかる落下防止具２００の構成を示す図である。図８（ａ）は落下防止具２００の正面図であり、図８（ｂ）は落下防止具２００の側面図である。なお、理解を容易にするため、図８（ｂ）では索体１３２の図示を省略している。
【００５２】
図８（ａ）および（ｂ）に示すように、落下防止具２００のハンドル２１０には、一端に設けられた挟持部１２０に加え、他端においても挟持部２２０が設けられている。挟持部２２０は、円弧状部材２２２ａおよび２２２ｂとから構成され、円弧状部材２２２ａには爪部２２４ａが、円弧状部材２２２ｂには爪部２２４ｂが設けられている。
【００５３】
上記の挟持部２２０は挟持部１２０とは寸法が異なっており、挟持部１２０はリングフィラー１０２を挟持可能であるのに対し、挟持部２２０は、リングフィラー１０２とは異なるサイズ（本実施形態においてはリングフィラー１０２より小さいサイズ）のリングフィラー２０２を挟持可能である。このような構成により、落下防止具２００において複数の異なるサイズのリングフィラー１０２および２０２を挟持することができるため、利便性の向上を図ることが可能となる。
【００５４】
また本実施形態の掛止部２３０は、第１実施形態に示した掛止部１３０とは異なる構造を有する。詳細には、落下防止具２００のハンドル２１０には、その長手方向に延びる長穴２１０ａが設けられており、掛止部２３０は長穴２１０ａと噛合するように構成されている。これにより、掛止部２３０は長穴２１０ａに沿って摺動可能となり、掛止部２３０を摺動させて、使用する挟持部が設けられている端部とは反対側の端部近傍に掛止部２３０を位置させることができる。したがって、複数の挟持部１２０または２２０のどちらを使用する場合であっても、ハンドル２１０を把持する際に掛止部２３０が邪魔になることがなく良好な使い勝手を維持することが可能となる。
【００５５】
（掛止部の他の例）
図９は、第２実施形態の落下防止具２００における掛止部の他の例を示す図である。図９に示す掛止部２５０は、ハンドル２１０を挿入されたスライダである。このような構成であっても、掛止部２５０がハンドル２１０を長手方向に摺動可能となり、上述した掛止部２３０と同様の効果を得ることができる。また掛止部２５０をスライダとすることにより、図８に示したハンドル２１０における長穴２１０ａは不要となる。したがって、ハンドル２１０の強度を低下させることなく、使い勝手を向上させることが可能となる。
【００５６】
上記説明したように、第２実施形態にかかる落下防止具２００によれば、複数の挟持部１２０および２２０によりサイズの異なる複数のリングフィラー１０２および２０２を挟持可能となるため、当該落下防止具２００が適用可能なリングフィラーの種類が増し、利便性を向上させることが可能となる。また掛止部２３０および２５０がハンドル２１０を摺動可能な構成としたことにより、ハンドル２１０に複数の挟持部１２０および２２０が設けられている場合であっても、ハンドル２１０を把持する際に掛止部１２０および２２０がその邪魔となることがなく、高い利便性を保つことが可能となる。
【００５７】
［第３実施形態］
次に、第３実施形態にかかる落下防止具３００について説明する。第３実施形態の落下防止具は、主に、１つの挟持部において複数のサイズの異なるリングフィラーを挟持可能である点において第１実施形態の落下防止具と異なる。なお、第１実施形態の落下防止具の構成要素と実質的に同一の機能や構成を有する要素については、同一の符号を付すことにより説明を省略し、落下防止具１００との差分についてのみ詳述する。
【００５８】
図１０は、第３実施形態の落下防止具３００の構成を示す図である。図１０（ａ）は落下防止具３００の斜視図、図１０（ｂ）は摺動部材３５０を説明する図、図１０（ｃ）は落下防止具３００の側面図である。なお、図１０（ｃ）では、掛止部１３０および索体１３２の図示は省略している。
【００５９】
図１０（ａ）に示すように、落下防止具３００のハンドル３１０は、第１ハンドル３１２および第２ハンドル３１４から構成される。第１ハンドル３１２および第２ハンドル３１４は一端が回動軸３１５によって連結されていて、先端（他端）に挟持部３２０が設けられている。これにより、第１ハンドル３１２および第２ハンドル３１４、すなわち挟持部３２０をトングのように開閉させて使用することが可能となる。
【００６０】
挟持部３２０は、第１ハンドル３１２の先端に設けられた円弧状部材３１２ａと、第２ハンドル３１４の先端に設けられた円弧状部材３１４ａから構成される。また本実施形態の円弧状部材３１２ａおよび３１４ａにおいても爪部３１２ｂおよび３１４ｂが設けられており、挟持部３２０からのリングフィラー１０２の脱落が防止される。
【００６１】
また落下防止具３００には、第１ハンドル３１２および第２ハンドル３１４を巻回した形状の摺動部材３５０が設けられる。摺動部材３５０は両ハンドルが開く方向の回動を規制する。また、摺動部材３５０を挟持部３２０に近づけるほど、回動軸３１４ａとの協働により、挟持部３２０が開く幅が狭くなる。
【００６２】
図１０（ｂ）に示すように、摺動部材３５０の内側には突出部３５２があり、第１ハンドル３１２の外面にはこれと噛合する凹部３１４ｃが形成されている。図１０（ｃ）に示すように挟持部３２０にリングフィラー１０２を挟むと、その弾性によって両ハンドルは開く方向に付勢される。これに対し、突出部３５２が凹部３１４ｃと噛合して、両ハンドルが開く方向の回動を規制するため、安定してこれを保持することができる。
【００６３】
なお突出部３５２と凹部３１４ｃは、回動軸３１５に向かって傾斜し、回動軸３１５側のみで係合するラチェット構造にすることが好ましい。これにより、付勢されている状態でも摺動部材３５０を挟持部３２０側へ移動させることができる。したがって、先にリングフィラー１０２を挟んでから擦動部材３５０を締めるという簡単な操作で確実に保持固定することができる。
【００６４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６５】
本発明は、主に高所作業におけるリングフィラーの落下を防止するための落下防止具に利用することができる。
【符号の説明】
【００６６】
１００…落下防止具、１０２、１０３…リングフィラー、１０２ａ…ボルト穴、１０４ａ…ボルト、１０４ｂ…ナット、１０４ｃ…ボルト、１０４ｄ…ナット、１０６…アングル材、１０６ａ…ボルト穴、１０８…プレート、１０８ａ…ボルト穴、１０９…アングル材、１１０…ハンドル、１２０…挟持部、１２０ａ…開口部、１２２ａ…円弧状部材、１２２ｂ…円弧状部材、１２４ａ…爪部、１２４ｂ…爪部、１２６…切込、１３０…掛止部、１３２…索体、２００…落下防止具、２０２…リングフィラー、２１０…ハンドル、２１０ａ…長穴、２２０…挟持部、２２２ａ…円弧状部材、２２２ｂ…円弧状部材、２２４ａ…爪部、２２４ｂ…爪部、２３０…掛止部、２５０…掛止部、３００…落下防止具、３１０…ハンドル、３１２…第１ハンドル、３１２ａ…円弧状部材、３１４…第２ハンドル、３１４ａ…円弧状部材、３１４ｃ…凹部、３１５…回動軸、３２０…挟持部、３５０…摺動部材、３５２…突出部
【図１】
2011185358.tif 000003
【図２】
2011185358.tif 000004
【図３】
2011185358.tif 000005
【図４】
2011185358.tif 000006
【図５】
2011185358.tif 000007
【図６】
2011185358.tif 000008
【図７】
2011185358.tif 000009
【図８】
2011185358.tif 000010
【図９】
2011185358.tif 000011
【図１０】
2011185358.tif 000012